(57)【要約】【課題】電動ズーム可能な交換レンズを所定のズーム位置までズームさせるＵＩの表示が可能であったが、ズーム速度を選択できるＵＩを持っておらず、ユーザーはズーム速度を制御できず被写体を所望の画角設定で撮影を行うまでに時間がかかってしまうという課題があった。【解決手段】装着された交換レンズが電動ズーム機能を持つことを検出し、電動ズーム制御画面を表示するとともに画面上のタッチ位置に応じたズーム速度を決定して交換レンズを制御する電子機器。【選択図】図４
2016167722.tif 000002
【特許請求の範囲】
【請求項１】
レンズが装着された通信装置と通信する通信手段、
前記通信装置から前記レンズの固有情報を取得する情報取得手段、
前記固有情報に所定の情報が含まれているかどうかを判別する判別手段、
前記レンズのズーム速度制御を実行するための表示を行う表示手段、
を持ち、
前記情報取得手段にて前記通信装置から前記レンズの固有情報を取得し、前記判別手段にて前記固有情報に所定の情報が含まれている場合に前記表示手段にて前記レンズのズーム速度制御を実行するための表示を行うことを特徴とする電子機器。
【請求項２】
前記所定の情報は電動ズームが可能かどうかを示す情報であることを特徴とする請求項１に記載の電子機器。
【請求項３】
前記表示手段はタッチ位置に応じて電動ズーム速度を決定するためのスライダーを表示することを特徴とする請求項１に記載の電子機器。
【請求項４】
前記表示手段は望遠方向に電動ズームを行う際の速度目盛を上向きに、また広角方向に電動ズームを行う際の速度目盛を下向きに表示することを特徴とする請求項１に記載の電子機器。
【請求項５】
レンズを装着する装着部、
前記装着部にレンズが装着されたことを検出する検出手段、
前記検出手段にて検出したレンズの種類を判別する判別手段
前記判別手段にて電動ズーム可能だと判別した場合に
電動ズームを実行可能な表示を行う表示手段を有することを特徴とする撮像制御装置。
【請求項６】
前記表示手段はタッチ位置に応じて電動ズーム速度を決定するためのスライダーを表示することを特徴とする請求項５に記載の撮像制御装置。
【請求項７】
前記表示手段は望遠方向に電動ズームを行う際の速度目盛を上向きに、また広角方向に電動ズームを行う際の速度目盛を下向きに表示することを特徴とする請求項５に記載の撮像制御装置。
【発明の詳細な説明】
【技術分野】
【０００１】
本発明は、表示画面上に表示される設定項目を選択することで外部機器を制御する電子機器に関する。
【背景技術】
【０００２】
ビデオカメラで撮影を行う際に、露出、ホワイトバランス、フォーカスまたはズーム等の撮影に必要な設定情報を確認し撮影を行う。特にズームの設定については、電動ズーム可能なレンズ一体型ビデオカメラにおいてズーム位置を設定するＵＩ（Ｕｓｅｒ  Ｉｎｔｅｒｆａｃｅ）をビデオカメラのＬＣＤ画面に表示して設定する方法が広く知られている。
【０００３】
また、電動ズーム交換レンズについてはビデオカメラに装着された交換レンズが電動ズーム可能かどうかを判別し、可能であると判別できた場合にズーム位置設定ＵＩを表示してズーム機能を制御する方法が開示されている（特許文献１）。
【０００４】
一方で、撮影時の撮影方法にはビデオカメラをユーザーが直接操作して撮影を行う方法や、Ｗｉ−Ｆｉ（Ｗｉｒｅｌｅｓｓ  Ｆｉｄｅｌｉｔｙ）などの無線通信等によりビデオカメラをリモートコントロールして撮影を行う方法が存在する。特に、映像制作の現場において、カメラマンが直接操作できない場所に業務用ビデオカメラを設置して撮影する場合に使用される。ビデオカメラをＨＴＴＰ（ＨｙｐｅｒＴｅｘｔ  Ｔｒａｎｓｆｅｒ  Ｐｒｏｔｏｃｏｌ）サーバとして動作させ、スマートフォンやタブレット端末などの外部端末機器と無線接続させてクライアントとして動作させる。ＨＴＴＰによる通信を介して、クライアントである該外部端末機器上のブラウザ等のアプリケーションから該サーバに制御コマンドを送信してリモートコントロールを行う。制御コマンドは該ブラウザ上で被写体に最適な該設定情報をユーザー操作にて設定し、ビデオカメラに送信することで被写体に応じた最適な設定情報で撮影を行う。
【先行技術文献】
【特許文献】
【０００５】
【特許文献１】特開２０１２−９５１６７号公報
【発明の概要】
【発明が解決しようとする課題】
【０００６】
しかしながら、上記従来例では、電動ズーム可能な交換レンズを所定のズーム位置までズームさせるＵＩの表示が可能であったが、ズーム速度を選択できるＵＩを持っておらず、選択された速度で電動ズーム可能な交換レンズを駆動させることができなかった。そのため、電動ズーム可能な交換レンズが装着されても、ユーザーはズーム速度を制御できず被写体を所望の画角設定で撮影するまでに時間がかかってしまうという問題があった。
【課題を解決するための手段】
【０００７】
本発明の電子機器は、レンズが装着された通信装置と通信する通信手段、前記通信装置から前記レンズの固有情報を取得する情報取得手段、前記固有情報に所定の情報が含まれているかどうかを判別する判別手段、前記レンズのズーム速度制御を実行するための表示を行う表示手段、を持ち、前記情報取得手段にて前記通信装置から前記レンズの固有情報を取得し、前記判別手段にて前記固有情報に所定の情報が含まれている場合に前記表示手段にて前記レンズのズーム速度制御を実行するための表示を行うことを特徴としている。
【０００８】
また、本発明の他の特徴とするところは、前記電子機器において前記所定の情報は電動ズームが可能かどうかを示す情報であることを特徴としている。
【０００９】
また、本発明のその他の特徴とするところは、前記電子機器において前記表示手段はタッチ位置に応じて電動ズーム速度を決定するためのスライダーを表示することを特徴としている。
【００１０】
また、本発明のその他の特徴とするところは、前記電子機器において前記表示手段は望遠方向に電動ズームを行う際の速度目盛を上向きに、また広角方向に電動ズームを行う際の速度目盛を下向きに表示することを特徴としている。
【００１１】
本発明の撮像制御装置は、レンズを装着する装着部、前記装着部にレンズが装着されたことを検出する検出手段、前記検出手段にて検出したレンズの種類を判別する判別手段、前記判別手段にて電動ズーム可能だと判別した場合に電動ズームを実行可能な表示を行う表示手段を有することを特徴としている。
【００１２】
また、本発明の他の特徴とするところは、前記撮影制御装置において前記表示手段はタッチ位置に応じて電動ズーム速度を決定するためのスライダーを表示することを特徴としている。
【００１３】
また、本発明のその他の特徴とするところは、前記撮影制御装置において前記表示手段は望遠方向に電動ズームを行う際の速度目盛を上向きに、また広角方向に電動ズームを行う際の速度目盛を下向きに表示することを特徴としている。
【発明の効果】
【００１４】
本発明によれば、電動ズーム可能な交換レンズが装着された場合に、所定のＵＩ（Ｕｓｅr Ｉｎｔｅｒｆａｃｅ）から電動ズームの速度を設定可能にし、被写体の画角調整を行う時間を短縮することで、撮像装置の使い勝手を向上させる。
【図面の簡単な説明】
【００１５】
【図１】本発明を適用した第１の実施形態におけるシステム図
【図２】本発明を適用した第１の実施形態におけるブロック図
【図３】本発明を適用した第１の実施形態におけるブロック図
【図４】本発明を適用した第１の実施形態におけるブロック図
【図５】本発明を適用した第１の実施形態の処理を示すフローチャート
【図６】本発明を適用した第１の実施形態のユーザーインターフェース図
【図７】本発明を適用した第１の実施形態の処理を示すフローチャート
【図８】本発明を適用した第１の実施形態の処理を示すフローチャート
【発明を実施するための形態】
【００１６】
以下、本発明を実施するための形態を図面に基づいて説明する。
【００１７】
＜第１の実施形態＞
以下、図１〜８を参照しながら本発明の説明を行う。ただし、以下の実施例はあくまでも一例であって、本発明は以下の実施例に限定されるものではない。
【００１８】
図１は本発明の第１の実施形態に係る、サーバー機器として動作するビデオカメラ１００、ビデオカメラ１００に装着される交換レンズ１０１、またビデオカメラ１００を無線通信を行う電子機器１０２のシステム構成を示す図である。図２は本発明を適用した第１の実施形態におけるビデオカメラ１００のブロック図である。
【００１９】
ビデオカメラ１００は、レンズ２０１、ＣＭＯＳ２０２、カメラ信号処理部２０３、記録媒体２０４、電源２０５、操作部２０６、入力Ｉ／Ｆ２０７、ＲＯＭ２０８、ＲＡＭ２０９、ＣＯＤＥＣ２１０、出力Ｉ／Ｆ２１１、ＬＣＤパネル２１２、ＣＰＵ２１３、通信制御部２１４、無線モジュール２１５、アンテナ２１６、レンズ通信部２１８から構成され、データバス２１７を介してデータの入出力を行う。
【００２０】
レンズ２０１は、フォーカス、絞り機構などを含む撮影レンズであり、被写体の光学像を形成する。ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）２０２は、撮像素子であり、Ａ／Ｄ変換機を含み、光学像をアナログ電気信号に変換した後、デジタル信号に変換する。尚、ＣＭＯＳ２０２に限定されるわけではなく、ＣＣＤ（Ｃｈａｒｇｅ Ｃｏｕｐｌｅｄ Ｄｅｖｉｃｅ  Ｉｍａｇｅ  Ｓｅｎｓｏｒ）などの撮像素子で有ってもよい。変換されたデジタル信号は、カメラ信号処理部２０３より、後述するＣＰＵ２１３を介して、所定の画素補間・縮小といったリサイズ処理や色変換、各種補正処理等を行う。さらに、後述するＣＯＤＥＣ２１０によって所定のビットレート、フォーマット形式で圧縮符号化、または映像圧縮符号化データの復号を行う。尚、音声についてはとくに図示していないが、レンズ２０１とＣＯＭＳ２０２をマイク、後述するＬＣＤパネル２１２をスピーカーとすることで、ほぼ同様の処理により音声信号も扱うことが可能であり、映像記録時には映像と共に音声も同時に収録され、ＣＯＤＥＣ２１０で映像と音声を多重化することで、音声付映像データを生成することが可能である。
【００２１】
記録媒体２０４は、撮影した映像データ及び音声データ、ＣＰＵ２１３の制御に必要な情報を記録する。電源２０５は、ＡＣ電源やバッテリーであり、ビデオカメラ１００の各部に必要な電源の供給を行う。操作部２０６は、ビデオカメラ１００の電源２０５のＯＮ／ＯＦＦ制御を行うスイッチである。
【００２２】
ユーザーからの操作を受け、受け付けた当該操作情報は、入力Ｉ／Ｆ２０７を介して、後述するデータバス２１７に入力される。ＲＯＭ２０８は、ビデオカメラ１００を起動するプログラムが格納されており、操作部２０６によって電源２０５から電気信号が供給されると、前記プログラムがＣＰＵ２１３によって、ＲＡＭ２０９に読み出される。ＲＡＭ２０９はＣＰＵ２１３のワークエリアとして機能する。また、後述する通信制御部２１４にて受信した電子機器１０２のステータス情報も格納される。
【００２３】
尚、ＣＰＵ２１３のワークエリアは、ＲＡＭ２０９に限られるものではなく、図示しないハードディスク装置等の外部記録装置等であってもよい。
【００２４】
ＣＯＤＥＣ２１０は、ＲＡＭ２０９や記録媒体２０４に記録されている映像データ及び音声データを再生し、再生された映像データは後述するＬＣＤパネル２１２に表示される。また、再生された音声データは図示しないスピーカ部に供給され出力される。出力Ｉ／Ｆ２１１は、ＣＰＵ２１３がプログラムに従い生成したＧＵＩ（Ｇｒａｐｈｉｃａｌ  Ｕｓｅｒ  Ｉｎｔｅｒｆａｃｅ）などの表示データに基づき、ＬＣＤパネル２１２に対して表示させるための表示信号を出力する。また、ＬＣＤパネル２１２は、ＣＯＤＥＣ２１０にて再生した映像データを出力Ｉ／Ｆ２１１を介して表示する。ＣＰＵ２１３は、ＲＯＭ２０８からＲＡＭ２０９にロードされたプログラムを実行する。
【００２５】
通信制御部２１４は、無線モジュール２１５を介して、電子機器１０２からステータス情報の受信及び、端末機器１０２への映像データ及び音声データの送信を行う。また、受信した際のレスポンス信号の送信を行う。アンテナ２１６は無線信号を送受信する。アンテナ２１６で受信された映像データ及び音声データは、無線モジュール２１５を介して通信制御部２１４で復調後、パケットデータから変換され、ＣＯＤＥＣ２１０にて復号後、受信される。受信された映像データ及び音声データは記録媒体２０４に保存される。また、受信を完了した際に電子機器１０２に送信するレスポンス信号は、通信制御部２１４で、ＣＰＵ２１３を介してパケットデータに変換され、搬送波の周波数帯の変調信号として生成されて、アンテナ２１６から無線信号として電子機器１０２に送信される。レンズ通信部２１８は電動ズーム可能な交換レンズ１０１と交換レンズ１０１の属性情報を含むデータの送受信を行う。
【００２６】
図３は本発明の第１の実施形態における電動ズームが可能な交換レンズ１０１である。
【００２７】
交換レンズ１０１は電源３００、操作部３０１、入力Ｉ／Ｆ３０２、ＣＰＵ３０３、レンズ通信部３０４、レンズ群３０５、データバス３０６から構成される。電源３００、ＣＰＵ３０３、レンズ通信部３０４、データバス３０６はそれぞれ図２の２０５、２１３、２０１、２１７と同様の動作を交換レンズ１０１に対して行うため説明を省略する。操作部３０１はユーザーが、後述するレンズ群３０５を望遠方向または広角方向に駆動させるためのシーソースイッチである。操作部３０１から入力された信号は入力Ｉ／Ｆ３０２を介し、ＣＰＵ３０３によって処理され後述するレンズ群３０５をズーム駆動させる。レンズ群３０５は少なくともズーム駆動を行う複数の種類のレンズから構成される。
【００２８】
図４は本発明の第１の実施形態における電子機器１０２のブロック図である。
【００２９】
電子機器１０２は、例えば、デスクトップ型、ノート型、タブレット型などのパーソナルコンピュータ、携帯電話端末（スマートフォン等）などである。電子機器１００は、電源４０１、操作部４０２、入力Ｉ／Ｆ４０３、ＲＯＭ（Ｒｅａｄ  Ｏｎｌｙ  Ｍｅｍｏｒｙ）４０４、ＲＡＭ（Ｒａｎｄｏｍ  Ａｃｃｅｓｓ  Ｍｅｍｏｒｙ）４０５、記録媒体４０６、ＣＯＤＥＣ４０７、出力Ｉ／Ｆ４０８、ＬＣＤパネル４０９、無線モジュール４１０、アンテナ４１１、ＣＰＵ（Ｃｅｎｔｒａｌ  Ｐｒｏｃｅｓｓｉｎｇ  Ｕｎｉｔ）４１２から構成され、データバス４１３を介してデータの入出力を行う。
【００３０】
電源４０１は、ＡＣ電源やバッテリーであり、電子機器１０２の各部に必要な電源の供給を行う。操作部４０２は、ユーザ操作を受け付ける入力デバイスとして、キーボードといった文字情報入力デバイスや、マウスやタッチパネルといったポインティングデバイスなどを有する。尚、タッチパネルは、例えば平面的に構成された入力部に対して接触された位置に応じた座標情報が出力される入力デバイスである。特に、電子機器１０２上で動作するアプリケーションの起動や操作、また電源のＯＦＦ／ＯＮにも使用する。また、電子機器１０２に電源４０１からの電源供給の開始と停止を制御するスイッチも含まれる。操作部４０２で入力されたユーザーからの操作は、入力Ｉ／Ｆ４０３を介して、データバス４１３に入力される。
【００３１】
ＲＯＭ４０４は、電子機器１０２を起動するプログラムが格納されており、操作部４０２によって電源４０１から電気信号が供給されると、前記プログラムがＣＰＵ４１２によって、ＲＡＭ４０５に読み出される（ＣＰＵ４１２、ＲＡＭ４０５は後述する）。ＲＡＭ４０５はＣＰＵ４１２のワークエリアとして機能する。尚、ＣＰＵ４１２のワークエリアは、ＲＡＭ４０５に限られるものではなく、ハードディスク装置等の外部記録装置等であってもよい。記録媒体４０６は、外部機器から受信したデータを格納する。また、電子機器１０２上で実行するアプリケーションのプログラムデータも格納される。尚、本実施形態ではアプリケーションはＷｅｂブラウザーで実行されるＷｅｂアプリケーションを想定して説明するが、これに限定されるわけでは無い。
【００３２】
ＣＯＤＥＣ４０７は、ＲＡＭ４０５や記録媒体４０６に記録されているデータを再生し、再生されたデータは後述するＬＣＤパネル４０９に表示される。出力Ｉ／Ｆ４０８は、ＣＰＵ４１２がプログラムに従い生成したＧＵＩ（Ｇｒａｐｈｉｃａｌ  Ｕｓｅｒ  Ｉｎｔｅｒｆａｃｅ）などの表示データに基づき、ＬＣＤパネル４０９に対して表示させるための表示信号を出力する。また、ＬＣＤパネル４０９は、出力Ｉ／Ｆ４０８を介して受信した表示信号を表示する。アンテナ１１１は無線信号を送受信する。本実施例では、ＨＴＴＰサーバとして動作する無線通信可能なビデオカメラ１００と無線通信を行うことを想定している。ビデオカメラ１００と無線通信する際は、電子機器１０２はＨＴＴＰクライアントとして動作する。アンテナ４１１で受信されたデータは、無線モジュール４１０を介してＣＰＵ４１２で復調後、パケットデータに変換され、復号されることで、受信される。受信されたデータはＲＡＭ４０５のバッファ領域に保存される。また、受信を完了した際にビデオカメラ１００に送信するレスポンス信号は、ＣＰＵ４１２を介してパケットデータに変換され、搬送波の周波数帯の変調信号として生成されて、アンテナ４１１から無線信号としてビデオカメラ１００に送信される。ＣＰＵ４１２は、ＲＯＭ４０４からＲＡＭ４０５にロードされたプログラムやＲＡＭ４０５内のプログラムを実行する。
【００３３】
図５は電子機器１０２において、ＣＰＵ４１２によって実行される処理流れを示すフローチャートである。
【００３４】
Ｓ５００では電子機器１０２の無線モジュール４１０、及びアンテナ４１１を介してＨＴＴＰサーバとして動作するビデオカメラ１００と無線通信を確立する。
【００３５】
Ｓ５０１に進み、操作部４０２においてＷｅｂブラウザーを起動するためのユーザー操作が実行されると、操作内容は操作部４０２及び入力Ｉ／Ｆ４０３を介してＲＡＭ４０５に保持される。ＲＡＭ４０５に保持されたＷｅｂブラウザーを起動するための操作内容をＣＰＵ４１２を介して実行することで、記録媒体４０６内に格納されるＷｅｂブラウザーのアプリケーションプログラムが起動される。その後、Ｓ５０２に進む。Ｓ５０２にてＷｅｂブラウザーを起動するためのユーザー操作が実行されない場合はＳ５０１で待機する。
【００３６】
Ｓ５０２ではＣＰＵ４１２にてＷｅｂブラウザー実行中に、ユーザーに操作部４０２が操作されることで、ＨＴＴＰサーバとして動作するビデオカメラ２００へ送信するＨＴＴＰリクエスト情報がＲＡＭ４０５に格納される。具体的には、Ｗｅｂブラウザーにビデオカメラ１００のＩＰアドレスを入力する操作内容を示すが、この操作に限定されるわけではない。ＣＰＵ４１２を介してＷｅｂブラウザーのアプリケーションが作成したＨＴＴＰリクエスト情報を、無線モジュール４１０、及びアンテナ４１１を介して無線通信を行っているビデオカメラ１００に送信する。その後、Ｓ５０３に進む。Ｓ５０２にてユーザーにより操作部４０２の操作が発生しなかった場合は、Ｓ５０２で待機する。
【００３７】
Ｓ５０３ではＨＴＴＰサーバとして動作するビデオカメラ１００に対するＳ５０２のＨＴＴＰリクエストの送信の応答として、ビデオカメラ１００からＣＰＵ４１２を介してＷｅｂブラウザー上で実行されるＷｅｂアプリケーションのプログラムデータを受信する。Ｗｅｂアプリケーションのプログラムデータは本実施形態ではＨＴＭＬ（ＨｙｐｅｒＴｅｘｔ  Ｍａｒｋｕｐ  Ｌａｎｇｕａｇｅ）、ＪａｖａＳｃｒｉｐｔ（登録商標）、ＣＳＳ（Ｃａｓｃａｄｉｎｇ  Ｓｔｙｌｅ  Ｓｈｅｅｔｓ）データから構成されるものとするが、これらに限定されるわけではない。受信処理はアンテナ４１１、無線モジュール４１０にてＣＰＵ４１２を介して実行される。受信したＷｅｂアプリケーションのプログラムデータは記録媒体４０６内のＷｅｂブラウザーのアプリケーションプログラムデータが格納されているアドレスとは異なるアドレスに格納される。受信した記録媒体４０６内のＷｅｂアプリケーションのプログラムデータは、ＣＰＵ４１２で現在実行中のＷｅｂブラウザーにて実行される。実行されるＷｅｂアプリケーションはＷｅｂブラウザー及び電子機器４０２を介し、ビデオカメラ１００とＨＴＴＰによって通信を開始し、Ｓ５０４に進む。
【００３８】
Ｓ５０４ではＷｅｂアプリケーションが送信するＨＴＴＰリクエストのレスポンスである撮影時の制御パラメータをビデオカメラ１００からアンテナ４１１、無線モジュール４１０で受信しＣＰＵ４１２を介して記録媒体４０６に格納する。受信した制御パラメータにおいて、ビデオカメラ１００に装着された交換レンズ１０１が電動ズーム可能であることを示すデータが含まれているかどうかを判別する。含まれている場合はＳ５０５に進む。含まれていない場合はＳ５０４で待機する。ビデオカメラ１００からＨＴＴＰにて受信した撮影時の制御パラメータは、具体的にはＪＳＯＮ（ＪａｖａＳｃｒｉｐｔ  Ｏｂｊｅｃｔ  Ｎｏｔａｔｉｏｎ）フォーマットで定義され、ビデオカメラ１００の撮影に関する制御パラメータ情報から構成される。本実施例では制御パラメータの一例として電動ズームの速度を想定して説明するが、電動ズームの速度だけに限定されるわけではない。
【００３９】
Ｓ５０５では電動ズーム制御用のＧＵＩ（Ｇｒａｐｈｉｃａｌ  Ｕｓｅｒ  Ｉｎｔｅｒｆａｃｅ）をＬＣＤパネル４０９上に表示する。具体的には、図６の６００に図示されるＧＵＩである。ＣＰＵ４１２で実行されているＷｅｂアプリケーションはビデオカメラ１００の撮影時に制御可能な項目と同様の制御項目を示すＧＵＩを持つ。図６はＣＰＵ４１２で実行中のＷｅｂアプリケーションのＧＵＩが、出力Ｉ／Ｆ４０８を介して、ＬＣＤパネル４０９に表示されている際の一例である。ＧＵＩ上で表示している各種制御項目と制御項目によって設定可能な設定値は、Ｗｅｂアプリケーションが定期的に発行するビデオカメラ１００へのＨＴＴＰリクエストのＪＳＯＮフォーマットのレスポンスデータの内容を解釈し表示される。６０１は電動ズーム速度を決定するスライダーである。ユーザーは操作部４０２、入力Ｉ／Ｆ４０３を介してＬＣＤパネル４０９上に表示されているＷｅｂアプリケーションのスライダー６０１を、６０２に示す範囲で上下に移動させる。６０３はスライダーで設定可能な電動ズーム速度の目盛りをしめしている。本実施例では６０４の目盛が示す速度０を基準に、望遠方向（Ｔｅｌｅ方向）及び広角方向（Ｗｉｄｅ方向）に各々１６目盛りを図示しているがこれに限定されるわけではない。６０５はスライダーが電動ズーム速度１２を選択中であることを示している。Ｓ５０５での表示処理完了後、Ｓ５０６に進む。
【００４０】
Ｓ５０６では電動ズーム速度を決定するスライダー６０１が、操作部４０２及び入力Ｉ／Ｆ４０３を介してユーザーに押下されたかどうかを判別する。押下された場合はＳ５０７に進む。押下されていない場合はＳ５０６で待機する。
【００４１】
Ｓ５０７ではＳ５０６で押下されたスライダー６０１がドラッグ（押下したまま移動させる動作）されたかどうかを判別する。ドラッグされていた場合は、Ｓ５０８に進む。ドラッグされていない場合はＳ５０７で待機する。
【００４２】
Ｓ５０８ではＳ５０７でドラッグされたスライダー６０１が電動ズーム速度の目盛り６０３の内のいづれかの目盛りに一定時間停止したかどうかを判別する。一定時間停止していた場合は、Ｓ５０９に進む。停止していなかった場合はＳ５０８で待機する。
【００４３】
Ｓ５０９ではＳ５０８でスライダー６０１がドラッグ状態で一定時間停止していた、電動ズーム速度の目盛りの値をビデオカメラ１００に送信する。具体的には、図６にて６０５の位置は電動ズーム速度の目盛りが１２を示しているため、スライダーが６０５に一定時間停止した後ビデオカメラ１００に通知する電動ズーム速度を１２に決定しＨＴＴＰにてビデオカメラ１００にＧＥＴコマンドにてリクエストを送信する。具体的には／ａｐｉ／ｃａｍ／ｄｒｉｖｅｌｅｎｓ？ｚｔ＝１２などのようなＵＲＩ（Ｕｎｉｆｏｒｍ  Ｒｅｓｏｕｒｃｅ  Ｉｄｅｎｔｉｆｉｅｒ）として送信する。その後、Ｓ５１０に進む。
【００４４】
Ｓ５１０ではスライダー６０１のドラッグ状態が解除されたかどうかを判別する。解除された場合はＳ５１１に進む。解除されなかった場合はＳ５０８で待機する。
【００４５】
Ｓ５１１ではスライダー６０１へのドラック操作が解除されたため、スライダー６０１を初期位置である６０４に戻しＳ５１２に進む。
【００４６】
Ｓ５１２ではズーム速度の目盛りは０となるため電動ズーム速度が０であることをビデオカメラ１００に通知する。その後、Ｓ５０６に進む。尚、Ｓ５１０でドラッグが解除されたことを検出し、即座にＨＴＴＰにてビデオカメラ１００に電動ズーム速度が０であることを通知してもよい。さらには、ドラッグ解除後も一定時間スライダー６０１の位置を保持し、その間にユーザーからのスライダーへの操作を操作部４０２にて受け付けて速度を示す目盛位置を移動させてもよい。
【００４７】
図７はビデオカメラ１００の処理の流れを示すフローチャートである。
【００４８】
Ｓ７００ではレンズ通信部２１８を介して、交換レンズ１０１と接続されたかどうかを判別する。接続された場合はＳ７０１に進む。接続されていない場合はＳ７００で待機する。
【００４９】
Ｓ７０１ではレンズ通信部２１８を介して受信した交換レンズ１０１の図示しないレンズ固有情報から電動ズームが可能かどうかを判別する。電動ズームが可能である場合Ｓ７０２に進む。
【００５０】
Ｓ７０２ではＨＴＴＰサーバーとしての動作を開始し、電子機器１０２とアンテナ２１６、無線モジュール２１５、通信制御部２１４を介して無線通信を確立する。その後Ｓ７０３に進む。無線通信の確立ができない場合はＳ７０２で待機する。
【００５１】
Ｓ７０３では無線通信を確立した無線通信機器１０２から、アンテナ２１６、無線モジュール２１５、通信制御部２１４を介してＨＴＴＰにて受信したＧＥＴコマンドによるリクエストの受信を確認する。受信した場合は、Ｓ７０４に進む。受信しなかった場合はＳ７０２で待機する。
【００５２】
Ｓ７０４ではＳ７０３で受信したＧＥＴコマンドのＵＲＩにおけるクエリパラメータから電動ズームの速度を検出する。一例として、電子機器１０２から図６のスライダー６０１がドラッグ状態で電動ズーム速度目盛６０５を示している場合にＧＥＴリクエストのＵＲＩが／ａｐｉ／ｃａｍ／ｄｒｉｖｅｌｅｎｓ？ｚｔ＝１２がビデオカメラ１００に送信される。このＧＥＴコマンドのＵＲＩをＣＰＵ２１３にて解析し、ｚｔ＝１２というクエリパラメータを検出する。本実施例ではｚｔが電動ズームの方向が望遠方向であることを示し、１２が電動ズーム速度を示すものとするがこれらに限定されるわけではない。その後、Ｓ７０５に進む。
【００５３】
Ｓ７０５ではレンズ通信部２１８を介して交換レンズ１０１のレンズ通信部３０４に対してＳ７０４で検出した電動ズームの方向と速度を通知する。その後、Ｓ７０３に進む。
【００５４】
図８は交換レンズ１０１の処理の流れを示すフローチャートである。
【００５５】
Ｓ８００ではレンズ通信部３０４がビデオカメラ１００のレンズ通信部２１８と接続され通信を開始したかどうかを判別する。通信を開始した場合はＳ８０１に進む。通信を開始していない場合はＳ８００で待機する。
【００５６】
Ｓ８０１ではレンズ通信部３０４を介して、ビデオカメラ１００から電動ズーム速度を受信したかどうかを判別する。受信した場合はＳ８０２に進む。受信しなかった場合はＳ８０１で待機する。
【００５７】
Ｓ８０２ではレンズ通信部３０４から受信したデータに含まれる電動ズーム速度情報を取得し、ＣＰＵを介して取得した電動ズーム速度でレンズ群３０５を制御する。一例としては、電動ズーム速度情報として望遠方向及び速度１２をレンズ通信部３０４から受信した場合、レンズ群３０５を望遠方向に１２の速度でズーム動作させる。
【００５８】
本実施例では、無線通信機器１０２からビデオカメラ１００を介して交換レンズ１０１を制御する方法を示したが、交換レンズ自体に図示しない無線通信部を備えつけ、無線通信機器１０２と交換レンズ１０１との間で直接電動ズーム速度情報のやり取りを行っても良い。
【００５９】
電子機器１０２とビデオカメラ１００とが通信し、電子機器１０２がビデオカメラ１００を遠隔で制御する例を説明したが、電子機器１０２が行うものとして説明した処理を、ビデオカメラ１００で行えるようにしてもよい。すなわち、電子機器１０２のＬＣＤパネル４０９に表示するものとして説明した各種表示を、ビデオカメラ１００のＬＣＤパネル２１２で表示する。そして、電子機器１０２とビデオカメラ１００で送受信するものとして説明した各種情報は、データバス２１７を介してビデオカメラ１００内で扱われる。ＣＰＵ４１２が行うものとして説明した処理は、ＣＰＵ２１３が行う。ブラウザを介して行うものとして説明した処理は、ブラウザを介することなく行う。すんわち、ＲＯＭ２０８に記録されたプログラムに従って処理する。
【００６０】
なお、ＣＰＵ４１２、ＣＰＵ２１３が実行するものとして説明した上述の各フローチャートの制御は１つのハードウェアが行ってもよいし、複数のハードウェアが処理を分担することで、装置全体の制御を行ってもよい。
【００６１】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６２】
また、上述した実施形態においては、本発明を電子機器１０２に適用した場合を例にして説明したが、これはこの例に限定されず、交換レンズが装着可能である撮像装置を制御することができる撮像制御装置であれば適用可能である。すなわち、本発明は撮像装置を通信を行って撮像装置を制御するパーソナルコンピュータやＰＤＡ、携帯電話端末、音楽プレーヤー、ゲーム機、電子ブックリーダーなどに適用可能である。また、撮像制御を行える撮像装置自体（デジタルカメラ、デジタルビデオカメラなどの撮像装置）に適用可能である。
【００６３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６４】
１００  ビデオカメラ、１０１  交換レンズ、１０２  電子機器
【図２】
2016167722.tif 000003
【図３】
2016167722.tif 000004
【図４】
2016167722.tif 000005
【図１】
2016167722.tif 000006
【図５】
2016167722.tif 000007
【図６】
2016167722.tif 000008
【図７】
2016167722.tif 000009
【図８】
2016167722.tif 000010